(57)【特許請求の範囲】
【請求項１】
電話回線を含む複数の通信ネットワークを介して、複数のファクシミリ端末に接続されたファクシミリ送受信システムにおいて、
前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶部と、
前記複数のファクシミリ端末との信号の送受信を行う送受信部と、
ファクシミリ信号の発信元のファクシミリ端末から発信され前記送受信部で受信された接続要求信号または、ファクシミリ信号の送信対象のファクシミリ端末宛てに前記送受信部から発信された接続要求信号に応答して当該ファクシミリ端末から送信され前記送受信部で受信された接続応答信号を解析して、当該ファクシミリ信号の送受信に利用する通信ネットワークを識別する情報および送受信対象のファクシミリ端末を識別する情報を特定する解析処理を行い、当該解析処理により、前記ファクシミリ信号の送受信に利用する通信ネットワークを識別する情報のみが特定された場合は、当該特定された通信ネットワークを識別する情報に基づいて前記音量情報記憶部内からファクシミリ信号送受信音量情報を取得し、前記送受信対象のファクシミリ端末を識別する情報のみが特定された場合は、当該特定されたファクシミリ端末を識別する情報から判別される電話回線情報に基づいて前記音量情報記憶部内からファクシミリ信号送受信音量情報を取得し、前記ファクシミリ信号の送受信に利用する通信ネットワークを識別する情報および前記送受信対象のファクシミリ端末を識別する情報の両方が特定された場合には、特定された通信ネットワークを識別する情報と特定されたファクシミリ端末を識別する情報との組み合わせ情報に基づいて前記音量情報記憶部内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶部内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶部内の情報を検索し、該当するファクシミリ信号送受信音量情報を取得する音量情報取得部と、
前記音量情報取得部で取得された信号送受信音量情報に基づいて、当該ファクシミリ信号の送受信のためのファクシミリ信号送受信音量を設定する音量設定部と、
を備えることを特徴とするファクシミリ送受信システム。
【請求項２】
前記接続要求信号に、前記発信元のファクシミリ端末が収容されている通信ネットワークを識別する識別情報を付加して前記送受信部に送出し、また、前記接続応答信号に、前記送信対象のファクシミリ端末が収容されている通信ネットワークを識別する識別情報を付加して前記送受信部に送出する中継装置をさらに有し、
前記音量情報取得部は、前記中継装置から取得した信号に付加された識別情報に基づいて、当該ファクシミリ信号の送受信に利用するネットワークを識別する情報を特定する
ことを特徴とする請求項１に記載のファクシミリ送受信システム。
【請求項３】
電話回線を含む複数の通信ネットワークを介して、複数のファクシミリ端末に接続されるとともに、前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶装置とに接続されたファクシミリ送受信装置において、
前記複数のファクシミリ端末との信号の送受信を行う送受信部と、
ファクシミリ信号の発信元のファクシミリ端末から発信され前記送受信部で受信された接続要求信号または、ファクシミリ信号の送信対象のファクシミリ端末宛てに前記送受信部から発信された接続要求信号に応答して当該ファクシミリ端末から送信され前記送受信部で受信された接続応答信号を解析して、当該ファクシミリ信号の送受信に利用する通信ネットワークを識別する情報および送受信対象のファクシミリ端末を識別する情報を特定する解析処理を行い、当該解析処理により、前記ファクシミリ信号の送受信に利用する通信ネットワークを識別する情報のみが特定された場合は、当該特定された通信ネットワークを識別する情報に基づいて前記音量情報記憶装置内からファクシミリ信号送受信音量情報を取得し、前記送受信対象のファクシミリ端末を識別する情報のみが特定された場合は、当該特定されたファクシミリ端末を識別する情報から判別される電話回線情報に基づいて前記音量情報記憶装置内からファクシミリ信号送受信音量情報を取得し、前記ファクシミリ信号の送受信に利用する通信ネットワークを識別する情報および前記送受信対象のファクシミリ端末を識別する情報の両方が特定された場合には、特定された通信ネットワークを識別する情報と特定されたファクシミリ端末を識別する情報との組み合わせ情報に基づいて前記音量情報記憶装置内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶装置内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶装置内の情報を検索し、該当するファクシミリ信号送受信音量情報を取得する音量情報取得部と、
前記音量情報取得部で取得された信号送受信音量情報に基づいて、当該ファクシミリ信号の送受信のためのファクシミリ信号送受信音量を設定する音量設定部と、
を備えることを特徴とするファクシミリ送受信装置。
【請求項４】
電話回線を含む複数の通信ネットワークを介して、複数のファクシミリ端末に接続されるとともに、前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶装置とに接続されたファクシミリ送受信装置が、
ファクシミリ信号の発信元のファクシミリ端末から発信された接続要求信号、または、ファクシミリ信号の送信対象のファクシミリ端末宛てに発信した接続要求信号に応答して当該ファクシミリ端末から送信された接続応答信号を受信するステップと、
受信した接続要求信号または接続応答信号を解析して、当該ファクシミリ信号の送受信に利用する通信ネットワークを識別する情報および送受信対象のファクシミリ端末を識別する情報を特定する解析処理を行うステップと、
前記解析処理により、前記ファクシミリ信号の送受信に利用する通信ネットワークを識別する情報のみが特定された場合に、当該特定された通信ネットワークを識別する情報に基づいて前記音量情報記憶装置内からファクシミリ信号送受信音量情報を取得するステップと、
前記解析処理により、前記送受信対象のファクシミリ端末を識別する情報のみが特定された場合に、当該特定されたファクシミリ端末を識別する情報から判別される電話回線情報に基づいて前記音量情報記憶装置内からファクシミリ信号送受信音量情報を取得するステップと、
前記解析処理により、前記ファクシミリ信号の送受信に利用する通信ネットワークを識別する情報および前記送受信対象のファクシミリ端末を識別する情報の両方が特定された場合に、特定された通信ネットワークを識別する情報と特定されたファクシミリ端末を識別する情報との組み合わせ情報に基づいて前記音量情報記憶装置内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶装置内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶装置内の情報を検索し、該当するファクシミリ信号送受信音量情報を取得するステップと、
取得された信号送受信音量情報に基づいて、ファクシミリ信号送受信音量を設定するステップと、
を有することを特徴とするファクシミリ送受信方法。
【発明の詳細な説明】
【技術分野】
【０００１】
本発明は、ファクシミリ送受信システム、およびこれに利用するファクシミリ送受信装置、ファクシミリ送受信方法に関する。
【背景技術】
【０００２】
従来、ファクシミリ（以下、「ＦＡＸ」と称する。）の送受信にはアナログ電話回線やＩＰ電話網が用いられている。
【０００３】
これらの回線を用いてＦＡＸ送受信処理を行う際、回線の２ｗ−４ｗ変換部に起因したエコーが生じ、正常なＦＡＸ送受信処理が妨げられる場合がある。
【０００４】
この問題への対策としては、ＦＡＸ端末に入力される音量を調整し、エコーの音量を十分小さくする方法が採られており、ＩＰ電話においては端末（ＶｏＩＰ−ＴＡ）にて音量を調整することが一般的である。
【０００５】
また、ＩＰ電話において端末側で音量を調整する方法の例として、特許文献１には、電話番号単位で受話音量を予め設定してＷｅｂサーバに登録しておき、ＦＡＸ端末において着信を受けた際に、着信対象番号に応じた受話音量をＷｅｂサーバから取得して音量を調整することにより、着信者に対応した受話音量で通話を行う技術が記載されている。
【先行技術文献】
【特許文献】
【０００６】
【特許文献１】特許第４３３６２６３号公報
【発明の概要】
【発明が解決しようとする課題】
【０００７】
しかし、上述したようなアナログ回線やＩＰネットワーク網を経由して送信される遠端エコーの音量は送受信するＦＡＸ端末が収容されている回線（網）の種類によって違いがあり、例えばＰＳＴＮ等のアナログ電話回線とＩＰネットワーク網とでは信号減衰量が大きく異なるためエコー音量にも違いがある。
【０００８】
上記特許文献１に記載の技術では着信者に応じた受話（受信）音量の調節のみ対象となっているが、エコー音量の調整のために必要な、回線（網）種類の判定ならびに送話（送信）音量の調節が考慮されず、受信するＦＡＸ端末に入力されるＦＡＸ信号（ならびにエコー）音量を適正に調整ができない場合があるといった問題があった。
【０００９】
本発明は上記課題を鑑みてなされたものであり、回線（網）の種類に対応してＦＡＸ送信信号音量を適正に調整することが可能なファクシミリ送受信システム、およびこれに利用するファクシミリ送受信装置、ファクシミリ送受信方法を提供することを課題とする。
【課題を解決するための手段】
【００１０】
上記の課題を解決するための本発明のファクシミリ送受信システムは、接続された複数の通信ネットワークのいずれかを介して、複数のファクシミリ端末に接続されたファクシミリ送受信システムにおいて、前記通信ネットワークの、ファクシミリ信号送信音量情報を記憶する音量情報記憶部と、前記複数のファクシミリ端末との信号の送受信を行う送受信部と、ファクシミリ信号の送信対象のファクシミリ端末宛てに前記送受信部から発信された接続要求信号に応答して当該ファクシミリ端末から送信され前記送受信部で受信された接続応答信号に付加された、当該ファクシミリ信号の送信に利用する通信ネットワークを識別する情報と、前記音量情報記憶部に記憶された情報とから、当該ファクシミリ信号の送信に利用するファクシミリ信号送受信音量情報を取得する音量情報取得部と、
音量情報取得部で取得された信号送信音量情報に基づいて、当該ファクシミリ信号の送信のためのファクシミリ信号送信音量を設定する音量設定部とを備えることを特徴とする。
【００１１】
また本発明のファクシミリ送受信システムの前記音量情報取得部において、通信ネットワークを識別する情報は、前記接続応答信号に付加された前記送信対象のファクシミリ端末の識別情報から判別されるようにしてもよい。
【００１２】
また本発明のファクシミリ送受信システムは、電話回線を含む複数の通信ネットワークを介して、複数のファクシミリ端末に接続されたファクシミリ送受信システムにおいて、前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶部と、前記複数のファクシミリ端末との信号の送受信を行う送受信部と、ファクシミリ信号の発信元のファクシミリ端末から発信され前記送受信部で受信された接続要求信号または、ファクシミリ信号の送信対象のファクシミリ端末宛てに前記送受信部から発信された接続要求信号に応答して当該ファクシミリ端末から送信され前記送受信部で受信された接続応答信号を解析して、当該ファクシミリ信号の送受信に利用する通信ネットワークを識別する情報および送受信対象のファクシミリ端末を識別する情報を特定する解析処理を行い、当該解析処理により、前記ファクシミリ信号の送受信に利用する通信ネットワークを識別する情報のみが特定された場合は、当該特定された通信ネットワークを識別する情報に基づいて前記音量情報記憶部内からファクシミリ信号送受信音量情報を取得し、前記送受信対象のファクシミリ端末を識別する情報のみが特定された場合は、当該特定されたファクシミリ端末を識別する情報から判別される電話回線情報に基づいて前記音量情報記憶部内からファクシミリ信号送受信音量情報を取得し、前記ファクシミリ信号の送受信に利用する通信ネットワークを識別する情報および前記送受信対象のファクシミリ端末を識別する情報の両方が特定された場合には、特定された通信ネットワークを識別する情報と特定されたファクシミリ端末を識別する情報との組み合わせ情報に基づいて前記音量情報記憶部内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶部内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶部内の情報を検索し、該当するファクシミリ信号送受信音量情報を取得する音量情報取得部と、前記音量情報取得部で取得された信号送受信音量情報に基づいて、当該ファクシミリ信号の送受信のためのファクシミリ信号送受信音量を設定する音量設定部とを備えることを特徴とする。
【００１３】
また本発明のファクシミリ送受信装置は、電話回線を含む複数の通信ネットワークを介して、複数のファクシミリ端末に接続されるとともに、前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶装置とに接続されたファクシミリ送受信装置において、前記複数のファクシミリ端末との信号の送受信を行う送受信部と、ファクシミリ信号の発信元のファクシミリ端末から発信され前記送受信部で受信された接続要求信号または、ファクシミリ信号の送信対象のファクシミリ端末宛てに前記送受信部から発信された接続要求信号に応答して当該ファクシミリ端末から送信され前記送受信部で受信された接続応答信号を解析して、当該ファクシミリ信号の送受信に利用する通信ネットワークを識別する情報および送受信対象のファクシミリ端末を識別する情報を特定する解析処理を行い、当該解析処理により、前記ファクシミリ信号の送受信に利用する通信ネットワークを識別する情報のみが特定された場合は、当該特定された通信ネットワークを識別する情報に基づいて前記音量情報記憶装置内からファクシミリ信号送受信音量情報を取得し、前記送受信対象のファクシミリ端末を識別する情報のみが特定された場合は、当該特定されたファクシミリ端末を識別する情報から判別される電話回線情報に基づいて前記音量情報記憶装置内からファクシミリ信号送受信音量情報を取得し、前記ファクシミリ信号の送受信に利用する通信ネットワークを識別する情報および前記送受信対象のファクシミリ端末を識別する情報の両方が特定された場合には、特定された通信ネットワークを識別する情報と特定されたファクシミリ端末を識別する情報との組み合わせ情報に基づいて前記音量情報記憶装置内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶装置内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶装置内の情報を検索し、該当するファクシミリ信号送受信音量情報を取得する音量情報取得部と、前記音量情報取得部で取得された信号送受信音量情報に基づいて、当該ファクシミリ信号の送受信のためのファクシミリ信号送受信音量を設定する音量設定部とを備えることを特徴とする。
【００１４】
また本発明のファクシミリ送受信方法は、電話回線を含む複数の通信ネットワークを介して、複数のファクシミリ端末に接続されるとともに、前記通信ネットワークを識別する情報と前記ファクシミリ端末を識別する情報との組み合わせごと、および前記通信ネットワークを識別する情報ごとの、ファクシミリ信号送受信音量情報を記憶する音量情報記憶装置とに接続されたファクシミリ送受信装置が、ファクシミリ信号の発信元のファクシミリ端末から発信された接続要求信号、または、ファクシミリ信号の送信対象のファクシミリ端末宛てに発信した接続要求信号に応答して当該ファクシミリ端末から送信された接続応答信号を受信するステップと、受信した接続要求信号または接続応答信号を解析して、当該ファクシミリ信号の送受信に利用する通信ネットワークを識別する情報および送受信対象のファクシミリ端末を識別する情報を特定する解析処理を行うステップと、前記解析処理により、前記ファクシミリ信号の送受信に利用する通信ネットワークを識別する情報のみが特定された場合に、当該特定された通信ネットワークを識別する情報に基づいて前記音量情報記憶装置内からファクシミリ信号送受信音量情報を取得するステップと、前記解析処理により、前記送受信対象のファクシミリ端末を識別する情報のみが特定された場合に、当該特定されたファクシミリ端末を識別する情報から判別される電話回線情報に基づいて前記音量情報記憶装置内からファクシミリ信号送受信音量情報を取得するステップと、前記解析処理により、前記ファクシミリ信号の送受信に利用する通信ネットワークを識別する情報および前記送受信対象のファクシミリ端末を識別する情報の両方が特定された場合に、特定された通信ネットワークを識別する情報と特定されたファクシミリ端末を識別する情報との組み合わせ情報に基づいて前記音量情報記憶装置内の情報を検索し、該当するファクシミリ信号送受信音量情報が存在する場合には当該ファクシミリ信号送受信音量情報を取得し、存在しない場合には、前記特定されたファクシミリ端末を識別する情報から判別される電話回線情報に基づいて前記音量情報記憶装置内の情報を検索し、該当するファクシミリ信号送受信音量情報が存在する場合には当該ファクシミリ信号送受信音量情報を取得し、ここでも該当するファクシミリ送受信音量情報が存在しない場合には、前記特定された通信ネットワークを識別する情報に基づいて前記音量情報記憶装置内の情報を検索し、該当するファクシミリ信号送受信音量情報を取得するステップと、取得された信号送受信音量情報に基づいて、ファクシミリ信号送受信音量を設定するステップとを有することを特徴とする。
【発明の効果】
【００１５】
本発明のファクシミリ送受信システム、およびこれに利用するファクシミリ送受信装置、ファクシミリ送受信方法によれば、回線（網）の種類に対応してＦＡＸ送信信号音量を適正に調整することができる。
【図面の簡単な説明】
【００１６】
【図１】本発明の一実施形態によるＦＡＸ送受信システムの構成を示す全体図である。
【図２】本発明の一実施形態によるＦＡＸ送受信システムにおいて、同一網内のＦＡＸ端末からＦＡＸ信号が受信されるときの動作を示すシーケンス図である。
【図３】本発明の一実施形態によるＦＡＸ送受信システムにおいて、他網のＦＡＸ端末からＦＡＸ信号が受信されるときの動作を示すシーケンス図である。
【図４】本発明の一実施形態によるＦＡＸ送受信システムにおいて、同一網内のＦＡＸ端末にＦＡＸ信号が送信されるときの動作を示すシーケンス図である。
【図５】本発明の一実施形態によるＦＡＸ送受信システムにおいて、他網のＦＡＸ端末にＦＡＸ信号が送信されるときの動作を示すシーケンス図である。
【発明を実施するための形態】
【００１７】
〈一実施形態によるＦＡＸ送受信システムの構成〉
本発明の一実施形態として、複数のＦＡＸ端末が、電話回線を含む複数の通信ネットワークを介してＦＡＸ送受信装置に接続されたＦＡＸ送受信システムの構成について、図１を参照して説明する。
【００１８】
本実施形態によるＦＡＸ送受信システム１は、ＦＡＸ送受信装置１０と、中継装置としてのＳＩＰサーバ１１およびゲートウェイ１２と、音量情報記憶装置１３と、これらのＦＡＸ送受信装置１０、ＳＩＰサーバ１１、ゲートウェイ１２、および音量情報記憶装置１３にＩＰ電話網２０、ＶｏＩＰルータ２１を介してアナログ接続されたＦＡＸ端末２２と、ゲートウェイ１２に相互接続点３０および事業者ＡのＰＳＴＮ網３１を介して接続されたＦＡＸ端末３２と、ゲートウェイ１２に相互接続点４０、事業者ＢのＩＰ電話網４１、およびＶｏＩＰルータ４２を介してアナログ接続されたＦＡＸ端末４３とを備える。このＶｏＩＰルータ２１はＦＡＸ端末２２内に組み込まれていてもよく、またＶｏＩＰルータ４２はＦＡＸ端末４３内に組み込まれていてもよい。また、ＩＰ電話網２０に対してはゲートウェイを介して複数の相互接続点の存在が可能である。また、相互接続点３０には事業者ＡのＰＳＴＮ網以外の網が接続されてもよく、また相互接続点４０には事業者ＢのＩＰ電話網以外の網が接続されてもよい。
【００１９】
ＦＡＸ送受信システム１はＩＰ電話網２０に接続され、送受信部１０ａと、音量情報取得部１０ｂと、音量設定部１０ｃとを有する。
【００２０】
送受信部１０ａは、ＩＰ電話網２０に接続されたＦＡＸ端末２２、ＰＳＴＮ網３１に接続されたＦＡＸ端末３２、事業者ＢのＩＰ電話網４１に接続されたＦＡＸ端末４３と、ＳＩＰサーバ１１を介して信号の送受信を行う。
【００２１】
音量情報取得部１０ｂは、送受信部１０ａにおいてＦＡＸ端末２２、３２、４３のいずれかから接続要求信号が受信されたときには、後述する処理によりこの接続要求信号を解析して特定した、当該ＦＡＸ信号の受信に利用するネットワークまたは電話回線識別する情報と、音量情報記憶装置１３に記憶される情報とから、当該ＦＡＸ信号の受信に利用するＦＡＸ信号送受信音量設定値を取得する。
【００２２】
また音量情報取得部１０ｂは、送受信部１０ａからＦＡＸ端末２２、３２、４３のいずれかに接続要求信号を発信したことによりこの接続要求信号に応答して送信された接続応答信号を受信したときには、後述する処理によりこの接続応答信号を解析して特定した、当該ＦＡＸ信号の送信に利用するネットワーク（網）または電話回線を識別する情報と、音量情報記憶装置１３に記憶される情報とから、当該ＦＡＸ信号の送信に利用するＦＡＸ信号送受信音量設定値を取得する。
【００２３】
音量設定部１０ｃは、音量情報取得部１０ｂで取得されたＦＡＸ信号送受信音量設定値を、当該ＦＡＸ送受信のために設定する。
【００２４】
ＳＩＰサーバ１１はＩＰ電話網２０に接続され、ＦＡＸ端末２２からＦＡＸ送受信装置１０宛てに発信された接続要求信号を受信したときには、当該接続要求信号に基づいて、発信元のＦＡＸ端末２２が接続されているＩＰ電話網２０を識別する網ＩＤを当該接続要求信号に付加してＦＡＸ送受信装置１０に転送する。
【００２５】
またＳＩＰサーバ１１は、ＦＡＸ送受信装置１０からＦＡＸ端末２２宛てに接続要求信号が発信されたことによりＦＡＸ端末２２から送信された接続応答信号を受信したときには、当該接続応答信号に基づいて、発信先のＦＡＸ端末２２が接続されているＩＰ電話網２０を識別する網ＩＤを当該接続応答信号に付加してＦＡＸ送受信装置１０に転送する。
【００２６】
ゲートウェイ１２は、ＦＡＸ端末３２またはＦＡＸ端末４３からＦＡＸ送受信装置１０宛てに送信された接続要求信号を受信したときには、当該接続要求信号に基づいて、発信元のＦＡＸ端末３２またはＦＡＸ端末４３が接続されているＰＳＴＮ網３１または事業者ＢのＩＰ電話網４１を識別する網ＩＤを当該接続要求信号に付加してＦＡＸ送受信装置１０に転送する。
【００２７】
またゲートウェイ１２は、ＦＡＸ送受信装置１０からＦＡＸ端末３２またはＦＡＸ端末４３宛てに接続要求信号が発信されたことによりＦＡＸ端末３２またはＦＡＸ端末４３から送信された接続応答信号を受信したときには、当該接続応答信号に基づいて、発信先のＦＡＸ端末３２またはＦＡＸ端末４３が接続されているＰＳＴＮ網３１または事業者ＢのＩＰ電話網４１を識別する網ＩＤを当該接続応答信号に付加してＦＡＸ送受信装置１０に転送する。
【００２８】
音量情報記憶装置１３は、ネットワーク（網）や電話回線２０、３１、４１ごとのＦＡＸ信号送信音量情報設定値を記憶する。
【００２９】
〈第１実施形態によるＦＡＸ送受信システムの動作〉
次に、本実施形態によるＦＡＸ送受信システムにおいて、（１）ＦＡＸ端末２２からＦＡＸ送受信装置１０にＦＡＸ信号が送信されるときの動作、（２）ＦＡＸ端末３２または４３からＦＡＸ送受信装置１０にＦＡＸ信号が送信されるときの動作、（３）ＦＡＸ送受信装置１０からＦＡＸ端末２２にＦＡＸ信号が送信されるときの動作、（４）ＦＡＸ送受信装置１０からＦＡＸ端末３２または４３にＦＡＸ信号が送信されるときの動作について、それぞれ図２〜５のシーケンス図を参照して説明する。
【００３０】
（１）ＦＡＸ端末２２からＦＡＸ送受信装置１０にＦＡＸ信号が送信されるときの動作（図２参照）
ＦＡＸ端末２２からＦＡＸ送受信装置１０にＦＡＸ信号が送信されるときは、まず、ＦＡＸ端末２２からＦＡＸ送受信装置１０宛てに接続要求信号が発信される（Ｓ１、Ｓ２）。
【００３１】
この接続要求信号はＳＩＰサーバ１１で受信され、当該接続要求信号に基づいて、発信元のＦＡＸ端末２２が収容されているＩＰ電話網２０を識別する網ＩＤが当該接続要求信号に付加される（Ｓ３）。この網ＩＤとしては、例えば独自のＳＩＰ拡張ヘッダ等が用いられる。
【００３２】
網ＩＤが付加された接続要求信号は、ＳＩＰサーバ１１からＦＡＸ送受信装置１０に送信される（Ｓ４）。
【００３３】
ＦＡＸ送受信装置１０では、当該接続要求信号が送受信部１０ａで受信され、さらに音量情報取得部１０ｂによりこの接続要求信号が解析され、当該ＦＡＸ信号の受信に利用される網ＩＤ情報および／または発信元のＦＡＸ端末を識別する端末ＩＤ情報が特定される（Ｓ５）。この端末ＩＤ情報としては、例えば発信端末の電話番号が用いられる。
【００３４】
この接続要求信号の解析処理においては、（ａ）網ＩＤ情報のみが特定される場合、（ｂ）端末ＩＤ情報のみが特定される場合、および（ｃ）網ＩＤ情報および端末ＩＤ情報の両方が特定される場合、がある。
【００３５】
そして音量情報取得部１０ｂにおいて、この特定した網ＩＤ情報および／または端末ＩＤ情報と、音量情報記憶装置１３に記憶された情報とから、当該ＦＡＸ信号の受信に利用するＦＡＸ信号送受信音量設定値が取得される（Ｓ６）。
【００３６】
このＦＡＸ送受信音量設定値は、上記（ａ）により網ＩＤ情報のみが特定されている場合には、この特定された網ＩＤ情報と、音量情報記憶装置１３に記憶されたネットワーク（網）ごとのＦＡＸ信号送信音量情報設定値とから、当該ＦＡＸ信号の受信に利用するＦＡＸ信号送受信音量設定値が取得される。
【００３７】
また上記（ｂ）により端末ＩＤ情報のみが特定されている場合には、この端末ＩＤ情報から判別される電話回線（発信端末が接続されている電話回線）の情報と、音量情報記憶装置１３に記憶された電話回線ごとのＦＡＸ信号送信音量情報設定値とから、当該ＦＡＸ信号の受信に利用するＦＡＸ信号送受信音量設定値が取得される。
【００３８】
また上記（ｃ）により網ＩＤ情報および端末ＩＤ情報の両方が特定されている場合には、例えば、まず特定されたネットワーク（網）と特定された端末ＩＤ情報から判別される電話回線の情報との組み合わせ情報に基づいて音量情報記憶装置１３内の情報が検索されて該当するＦＡＸ信号送受信音量設定値が存在する場合にはこのＦＡＸ信号送受信音量設定値が取得され、存在しない場合には特定された端末ＩＤ情報から判別される電話回線の情報のみに基づいて音量情報記憶装置１３内の情報が検索されてＦＡＸ信号送受信音量設定値が取得され、ここでも該当するＦＡＸ信号送受信音量設定値が存在しない場合には特定されたネットワーク（網）のみに基づいて音量情報記憶装置１３内の情報が検索されて該当するＦＡＸ信号送受信音量設定値が取得される。
【００３９】
ここでは、網ＩＤ情報および／または端末ＩＤ情報から特定された「ＩＰ電話網２０」に対応するＦＡＸ信号送受信音量設定値が取得される。
【００４０】
このようにして取得されたＦＡＸ信号送受信音量設定値は、当該ＦＡＸ受信の受信音量として、音量設定部１０ｃにより自ＦＡＸ送受信装置１０に設定される（Ｓ７）。
【００４１】
ＦＡＸ送受信装置１０でＦＡＸ信号送受信音量設定値が設定されると、ＦＡＸ送受信装置１０からＳＩＰサーバ１１を介して接続要求信号の発信元のＦＡＸ端末２２に接続応答信号が送信される（Ｓ８、Ｓ９）。
【００４２】
ＦＡＸ端末２２では、接続応答信号が受信されると、ＦＡＸ信号がみなし音声として送信される（Ｓ１０）。そして、ＦＡＸ送受信装置１０では設定されたＦＡＸ信号送受信音量設定値により、適切な音量で受信処理が実行される。
【００４３】
（２）ＦＡＸ端末３２または４３からＦＡＸ送受信装置１０にＦＡＸ信号が送信されるときの動作（図３参照）
ＦＡＸ端末３２または４３からＦＡＸ送受信装置１０にＦＡＸ信号が送信されるときは、まず、ＦＡＸ端末３２または４３からＦＡＸ送受信装置１０宛てに接続要求信号が発信される（Ｓ１１、Ｓ１２）。
【００４４】
この接続要求信号はゲートウェイ１２で受信され、当該接続要求信号に基づいて、発信元のＦＡＸ端末２２が収容されているネットワーク（ＰＳＴＮ網３１または事業者ＢのＩＰ電話網４１）を識別する網ＩＤが当該接続要求信号に付加される（Ｓ１３）。
【００４５】
網ＩＤが付加された接続要求信号は、ＳＩＰサーバ１１を介してＦＡＸ送受信装置１０に送信される（Ｓ１４、Ｓ１５）。
【００４６】
ＦＡＸ送受信装置１０では、当該接続要求信号が送受信部１０ａで受信され、さらに音量情報取得部１０ｂによりこの接続要求信号が解析され、上記（ａ）と同様の方法により、当該ＦＡＸ信号の受信に利用される網ＩＤ情報および／または発信元のＦＡＸ端末を識別する端末ＩＤ情報が特定される（Ｓ１６）。
【００４７】
そして音量情報取得部１０ｂにおいて、この特定した網ＩＤ情報および／または端末ＩＤ情報と、音量情報記憶装置１３に記憶された情報とから、当該ＦＡＸ信号の受信に利用するＦＡＸ信号送受信音量設定値が取得される（Ｓ１７）。
【００４８】
ここでは、網ＩＤ情報および／または端末ＩＤ情報から特定された「ＰＳＴＮ網３２」または「事業者ＢのＩＰ電話網４１」に対応するＦＡＸ信号送受信音量設定値が取得される。
【００４９】
取得されたＦＡＸ信号送受信音量設定値は、当該ＦＡＸ受信の受信音量として、音量設定部１０ｃにより自ＦＡＸ送受信装置１０に設定される（Ｓ１８）。
【００５０】
ＦＡＸ送受信装置１０でＦＡＸ信号送受信音量設定値が設定されると、ＦＡＸ送受信装置１０からＳＩＰサーバ１１、ゲートウェイ１２を介して接続要求信号の発信元のＦＡＸ端末３２または４３に接続応答信号が送信される（Ｓ１９、Ｓ２０、Ｓ２１）。
【００５１】
ＦＡＸ端末３２または４３では、接続応答信号が受信されると、ＦＡＸ信号がみなし音声として送信される（Ｓ２２）。そして、ＦＡＸ送受信装置１０では設定されたＦＡＸ信号送受信音量設定値により、適切な音量で受信処理が実行される。
【００５２】
（３）ＦＡＸ送受信装置１０からＦＡＸ端末２２にＦＡＸ信号が送信されるときの動作（図４参照）
ＦＡＸ送受信装置１０からＦＡＸ端末２２にＦＡＸ信号が送信されるときは、まず、ＦＡＸ送受信装置１０からＦＡＸ端末２２宛てに接続要求信号が発信される（Ｓ３１）。
【００５３】
この接続要求信号はＳＩＰサーバ１１を介してＦＡＸ端末２２に送信される（Ｓ３２、Ｓ３３）。
【００５４】
ＦＡＸ端末２２では、受信した接続要求信号に対応して接続応答要求がＦＡＸ送受信装置１０宛てに送信される。
【００５５】
ＦＡＸ端末２２から送信された接続応答要求はＳＩＰサーバ１１で受信され（Ｓ３４）、当該接続応答信号に基づいて、発信先のＦＡＸ端末２２が収容されているＩＰ電話網２０を識別する網ＩＤが当該接続要求信号に付加される（Ｓ３５）。
【００５６】
網ＩＤが付加された接続応答信号は、ＳＩＰサーバ１１からＦＡＸ送受信装置１０に送信される（Ｓ３６）。
【００５７】
ＦＡＸ送受信装置１０では、当該接続応答信号が送受信部１０ａで受信され、さらに音量情報取得部１０ｂによりこの接続応答信号が解析され、上記（ａ）と同様の方法により、当該ＦＡＸ信号の受信に利用される網ＩＤ情報および／または発信先のＦＡＸ端末を識別する端末ＩＤ情報が特定される（Ｓ３７）。
【００５８】
そして音量情報取得部１０ｂにおいて、この特定した網ＩＤ情報および／または端末ＩＤ情報と、音量情報記憶装置１３に記憶された情報とから、当該ＦＡＸ信号の送信に利用するＦＡＸ信号送受信音量設定値が取得される（Ｓ３８）。
【００５９】
ここでは、網ＩＤ情報および／または端末ＩＤ情報から特定された「ＩＰ電話網２０」に対応するＦＡＸ信号送受信音量設定値が取得される。
【００６０】
取得されたＦＡＸ信号送受信音量設定値は、当該ＦＡＸ送信の送信音量として、音量設定部１０ｃにより自ＦＡＸ送受信装置１０に設定される（Ｓ３９）。
【００６１】
ＦＡＸ送受信装置１０でＦＡＸ信号送受信音量設定値が設定されると、ＦＡＸ送受信装置１０から接続応答信号の発信元のＦＡＸ端末２２に、設定された適切な音量で、ＦＡＸ信号がみなし音声として送信される（Ｓ４０）。
【００６２】
（４）ＦＡＸ送受信装置１０からＦＡＸ端末３２または４３にＦＡＸ信号が送信されるときの動作（図５参照）
ＦＡＸ送受信装置１０からＦＡＸ端末３２または４３にＦＡＸ信号が送信されるときは、まず、ＦＡＸ送受信装置１０からＦＡＸ端末３２または４３宛てに接続要求信号が発信される（Ｓ４１）。
【００６３】
この接続要求信号はＳＩＰサーバ１１、ゲートウェイ１２を介してＦＡＸ端末３２または４３に送信される（Ｓ４２、Ｓ４３、Ｓ４４）。
【００６４】
ＦＡＸ端末３２または４３では、受信した接続要求信号に対応して接続応答要求がＦＡＸ送受信装置１０宛てに送信される。
【００６５】
ＦＡＸ端末３２または４３から送信された接続応答要求はゲートウェイ１２で受信され（Ｓ４５）、当該接続応答信号に基づいて、発信先のＦＡＸ端末３２または４３が収容されているネットワーク（ＰＳＴＮ網３１または事業者ＢのＩＰ電話網４１）を識別する網ＩＤが当該接続要求信号に付加される（Ｓ４６）。
【００６６】
網ＩＤが付加された接続応答信号は、ゲートウェイ１２からＳＩＰサーバ１１を介してＦＡＸ送受信装置１０に送信される（Ｓ４７、Ｓ４８）。
【００６７】
ＦＡＸ送受信装置１０では、当該接続応答信号が送受信部１０ａで受信され、さらに音量情報取得部１０ｂによりこの接続応答信号が解析され、上記（ａ）と同様の方法により、当該ＦＡＸ信号の受信に利用される網ＩＤ情報および／または発信先のＦＡＸ端末を識別する端末ＩＤ情報が特定される（Ｓ４９）。
【００６８】
そして音量情報取得部１０ｂにおいて、この特定した網ＩＤ情報および／または端末ＩＤ情報と、音量情報記憶装置１３に記憶された情報とから、当該ＦＡＸ信号の送信に利用するＦＡＸ信号送受信音量設定値が取得される（Ｓ５０）。
【００６９】
ここでは、網ＩＤ情報および／または端末ＩＤ情報から特定された「ＰＳＴＮ網３２」または「事業者ＢのＩＰ電話網４１」に対応するＦＡＸ信号送受信音量設定値が取得される。
【００７０】
取得されたＦＡＸ信号送受信音量設定値は、当該ＦＡＸ送信の送信音量として、音量設定部１０ｃにより自ＦＡＸ送受信装置１０に設定される（Ｓ５１）。
【００７１】
ＦＡＸ送受信装置１０でＦＡＸ信号送受信音量設定値が設定されると、ＦＡＸ送受信装置１０から接続応答信号の発信元のＦＡＸ端末３２または４３に、設定された適切な音量で、ＦＡＸ信号がみなし音声として送信される（Ｓ５２）。
【００７２】
以上の本実施形態によれば、ネットワーク（網）の種類に対応して予め設定された網ＩＤおよび／または端末ＩＤを用いるため、ＦＡＸ送受信装置で送受信されるＦＡＸ送受信信号音量を適正な値に調整することができる。
【００７３】
上述したＦＡＸ送受信システムにおいては、音量情報記憶装置がＦＡＸ送受信装置と別に設置された場合について説明したが、音量情報記憶装置がＦＡＸ送受信装置の中に組み込まれるように構築してもよい。
【符号の説明】
【００７４】
１…ＦＡＸ送受信システム
１０…ＦＡＸ送受信装置
１０ａ…送受信部
１０ｂ…音量情報取得部
１０ｃ…音量設定部
１１…ＳＩＰサーバ
１２…ゲートウェイ
１３…音量情報記憶装置
２０…ＩＰ電話網
２１，４２…ＶｏＩＰルータ
２２…ＦＡＸ端末
３０，４０…相互接続点
３１…ＰＳＴＮ網
３２，４３…ＦＡＸ端末
４１…事業者ＢのＩＰ電話網
【図１】
0005466202.tif 000002
【図２】
0005466202.tif 000003
【図３】
0005466202.tif 000004
【図４】
0005466202.tif 000005
【図５】
0005466202.tif 000006